(57)【要約】ピクチャプッシュの方法、端末装置および記憶媒体が提供される。当該方法は以下を含む。画面が点灯するとき、ユーザの顔の表情を含むイメージが取得される。イメージが分析され、ユーザの気分タイプを確定される。ユーザの気分タイプに応じて、目標ピクチャがプッシュされる。
2020507159.tif 000002
【特許請求の範囲】
【請求項１】
画面が点灯するとき、ユーザの表情を含むイメージを取得することと、
前記イメージを分析し、ユーザの気分タイプを確定することと、
前記ユーザの気分タイプに応じ、目標ピクチャをプッシュすることとを、含む、
ピクチャプッシュの方法。
【請求項２】
前記ユーザの気分タイプに応じ、目標ピクチャをプッシュすることは、
前記ユーザの気分タイプに応じ、プッシュされるべきピクチャのタイプを確定することと、
ピクチャギャラリーから前記プッシュされるべきピクチャのタイプに合わせる目標ピクチャを獲得することと、
前記目標ピクチャをユーザにプッシュすることとを、含む、
請求項１に記載の方法。
【請求項３】
前記イメージを分析し、ユーザの気分タイプを確定することは、
前記イメージをテンプレートと比較し、目の位置および口の位置を確定することと、
目の形状および口の形状を分析し、前記ユーザの気分タイプを確定することとを、含む、
請求項１または２に記載の方法。
【請求項４】
前記イメージを分析し、ユーザの気分タイプを確定することは、
前記イメージをテンプレートと比較し、複数の顔の特徴の位置を確定することと、
前記顔の特徴の形状を分析し、複数の候補気分タイプを確定することと、
前記候補気分タイプの中で最も割合が高い気分タイプを前記ユーザの気分タイプとして確定することとを、含む、
請求項１または２に記載の方法。
【請求項５】
前記イメージを分析し、ユーザの気分タイプを確定することは、
前記イメージをユーザの気分モデルと比較し、前記イメージに合わせるユーザの気分モデルから目標の気分ピクチャを確定することと、
前記目標の気分ピクチャに準じ、前記ユーザの気分タイプを確定することとを、含む、
請求項１または２に記載の方法。
【請求項６】
前記イメージをユーザの気分モデルと比較し、前記イメージに合わせるユーザの気分モデルから目標の気分ピクチャを確定する前に、前記方法は  さらに、
ユーザの予め設定された数の表情イメージを取得することと、
予め設定された機械学習スキームに従い前記表情イメージについて学習し、前記ユーザの気分モデルを獲得することとを、含む、
請求項５に記載の方法。
【請求項７】
前記目標ピクチャを前記ユーザにプッシュした後に、前記方法はさらに、
ユーザの選択結果を記録することと、
前記ユーザの選択結果に応じ、前記ユーザの気分モデルを更新することとを、含む、
請求項５または６に記載の方法。
【請求項８】
プログラムコードを格納するように構成されるメモリと、
前記メモリとカプリングされる少なくとも１つのプロセッサとを、備える、
移動端末であって、
前記プログラムコードは、前記少なくとも１つのプロセッサによって実行されると、前記少なくとも１つのプロセッサと共に動作可能で、請求項１から請求項７のいずれか１つに記載の方法を実行する、
移動端末。
【請求項９】
画面が点灯するとき、ユーザの表情を含むイメージを取得するように構成されるカメラと、
前記イメージを分析しユーザの気分タイプを確定し、前記ユーザの気分タイプに応じプッシュされるべきピクチャのタイプを確定し、ピクチャギャラリーから前記プッシュされるべきピクチャのタイプに合わせる目標ピクチャを獲得し、前記目標ピクチャをユーザにプッシュするように構成される汎用プロセッサとを、備える、
移動端末。
【請求項１０】
前記イメージを分析しユーザの気分タイプを確定するように構成される前記汎用プロセッサは、
前記イメージをテンプレートと比較し目の位置および口の位置を確定し、
目の形状および口の形状を分析し前記ユーザの気分タイプを確定する、ように構成される、
請求項９に記載の移動端末。
【請求項１１】
前記イメージを分析しユーザの気分タイプを確定するように構成される前記汎用プロセッサは、
前記イメージをユーザの気分モデルと比較し、前記イメージに合わせるユーザの気分モデルから目標の気分ピクチャを確定し、
前記目標の気分ピクチャに準じ前記ユーザの気分タイプを確定する、ように構成される、
請求項９に記載の移動端末。
【請求項１２】
前記汎用プロセッサはさらに、
ユーザの予め設定された数の表情イメージを取得し、
予め設定された機械学習スキームに従って前記表情イメージについて学習し、前記ユーザの気分モデルを獲得する、ように構成される、
請求項１１に記載の移動端末。
【請求項１３】
前記汎用プロセッサは、アプリケーションプロセッサと人工知能（ＡＩ）ユニットとを備え、前記ＡＩユニットは前記アプリケーションプロセッサと集積され、前記ＡＩユニットは、
ユーザの予め設定された数の表情イメージを取得し、
予め設定された機械学習スキームに従って前記表情イメージについて学習し、前記ユーザの気分モデルを獲得する、ように構成される、
請求項１２に記載の移動端末。
【請求項１４】
前記汎用プロセッサは、アプリケーションプロセッサと人工知能（ＡＩ）ユニットとを備え、前記ＡＩユニットは前記アプリケーションプロセッサから分離され、前記ＡＩユニットは、
ユーザの予め設定された数の表情イメージを取得し、
予め設定された機械学習スキームに従って前記表情イメージについて学習し、前記ユーザの気分モデルを獲得する、ように構成される、
請求項１２に記載の移動端末。
【請求項１５】
前記ＡＩユニットはさらに、
前記イメージを前記ユーザの気分モデルと比較し、前記イメージに合わせるユーザの気分モデルから目標の気分ピクチャを確定し、
前記目標の気分ピクチャに準じ前記ユーザの気分タイプを確定する、ように構成される、
請求項１３または１４に記載の移動端末。
【発明の詳細な説明】
【技術分野】
【０００１】
本開示は、端末の分野に関し、特に、ピクチャプッシュの方法、移動端末、および記憶媒体に関する。
【背景技術】
【０００２】
現在、科学技術の発展に伴い、人々の物質的な生活は非常に充実してきており、スマート端末も普及している。
【０００３】
人々はスマート端末を通して仕事をし、娯楽やゲームをすることができる。特に、サーバはピクチャを非周期的に端末にプッシュすることができる。しかしながら、サーバがユーザの状態を知らないので、プッシュされたピクチャは、ユーザによって端末の壁紙として使われる可能性は低い。さらに、プッシュされたピクチャからお気に入りのピクチャを選択することはユーザにとって困難であり、一般に、ユーザはウェブページにアクセスし、自分のスタイルに合ったピクチャを選択する。ウェブページでピクチャを選択するのは多くの時間がかかるため、ユーザにとって不便である。
【発明の概要】
【０００４】
本開示の実施形態は、ユーザのお気に入りのピクチャをよりプッシュすることで、ユーザがピクチャを選択する時間が短縮されるように、ユーザの気分のタイプに合わせる目標ピクチャをプッシュすることができるピクチャプッシュの方法、移動端末、および記憶媒体を開示する。
【０００５】
本開示の実施形態の第１の態様は、ピクチャプッシュの方法を開示し、当該方法は以下を含む。
【０００６】
画面が点灯するとき、ユーザの表情を含むイメージが取得される。イメージが分析され、ユーザの気分タイプを確定する。そして、ユーザの気分タイプに応じて目標ピクチャがプッシュされる。
【０００７】
本開示の第２の態様は、プログラムコードを格納するように構成されるメモリと、メモリとカプリングされる少なくとも１つのプロセッサとを備える移動端末を開示する。プログラムコードは、少なくとも１つのプロセッサによって実行されるとき、少なくとも１つのプロセッサと共に動作可能で、取得ユニット、分析ユニット、確定ユニット、獲得ユニット、およびプッシュユニットを実行する。取得ユニットは、画面が点灯するとき、ユーザの表情を含むイメージを取得するように構成される。分析ユニットは、イメージを分析してユーザの気分タイプを確定するように構成される。確定ユニットは、ユーザの気分タイプに応じてプッシュされるべきピクチャのタイプを確定するように構成される。獲得ユニットは、ピクチャギャラリーからプッシュされるべきピクチャのタイプに合わせる目標ピクチャを獲得するように構成される。プッシュユニットは、目標ピクチャをユーザにプッシュするように構成される。
【０００８】
本開示の第３の態様は、カメラと汎用プロセッサとを備える移動端末を開示する。カメラは、画面が点灯するとき、ユーザの表情を含むイメージを取得するように構成される。汎用プロセッサは、以下のように構成される。イメージを分析して、ユーザの気分タイプを確定する；ユーザの気分タイプに応じてプッシュされるべきピクチャのタイプを確定する；ピクチャギャラリーからプッシュされるべきピクチャのタイプに合わせる目標ピクチャを獲得する；目標ピクチャをユーザにプッシュする。
【図面の簡単な説明】
【０００９】
本開示の実施形態における技術案をより明確に説明するために、以下は、実施形態を説明するために必要とされる添付の図面を簡単に紹介する。明らかに、以下の説明における添付の図面は本開示のいくつかの実施形態を示す。当業者はまた、創造的な努力なしにもこれらの添付の図面に基づいて他の図面を獲得することができる。
【図１Ａ】図１Ａは本開示の一実施形態によるピクチャプッシュの方法を示す概略フローチャートである。
【図１Ｂ】図１Ｂは本開示の一実施形態によるピクチャプッシュの方法を示す概略フローチャートである。
【図２】図２は本開示の実施形態によるピクチャプッシュの別の方法を示す概略フローチャートである。
【図３】図３は本開示の一実施形態によるピクチャプッシュの別の方法を示す概略フローチャートである。
【図４】図４は本開示の一実施形態による移動端末を示す概略ブロック図である。
【図５】図５は本開示の一実施形態による別の移動端末を示す概略ブロック図である。
【図６】図６は本開示の一実施形態による別の移動端末を示す概略ブロック図である。
【図７】図７は本開示の一実施形態による移動端末を示す概略物理的構造図である。
【図８】図８は本開示の一実施形態による別の移動端末を示す概略物理的構造図である。
【発明を実施するための形態】
【００１０】
本開示の実施形態における添付の図面を参照しながら、本開示の実施形態における技術案を以下に明確かつ完全に説明する。明らかに、記載される実施形態は、本開示の全ての実施形態よりもむしろいくつかのものにすぎない。創造的な努力なしにも本開示の実施形態に基づいて当業者によって獲得される他のすべての実施形態は、本開示の保護範囲内に入るものとする。
【００１１】
本開示の一実施形態によるピクチャプッシュの方法、移動端末、及び記憶媒体は、ユーザの気分タイプに合わせる目標ピクチャをプッシュすることができるので、ユーザのお気に入りのピクチャよりプッシュし、ユーザがピクチャを選択する時間が短縮される。以下、本開示の実施の形態を詳細に説明する。
【００１２】
本開示の実施形態によれば、ピクチャのプッシュ方法が提供され、当該方法以下を含む。
【００１３】
画面が点灯するとき、ユーザの表情を含むイメージが取得される。イメージが分析され、ユーザの気分タイプを確定する。そして、ユーザの気分タイプに応じて目標ピクチャがプッシュされる。
【００１４】
一実施形態として、目標ピクチャは、以下のようにユーザの気分タイプに応じてプッシュされる。プッシュされるべきピクチャのタイプは、ユーザの気分タイプに応じて確定される。プッシュされるべきピクチャのタイプに合わせる目標ピクチャがピクチャギャラリから獲得される。そして目標ピクチャがユーザにプッシュされる。
【００１５】
一実施形態として、イメージは、以下のように分析されて、ユーザの気分タイプを確定する。イメージをテンプレートと比較して、目の位置と口の位置を確定する；目の形状および口の形状は分析されて、ユーザの気分タイプを確定する。
【００１６】
一実施形態として、以下のように、イメージが分析されて、ユーザの気分タイプを確定する。イメージをテンプレートと比較して、複数の顔の特徴の位置を確定する；顔の特徴の形状は分析され、複数の候補気分タイプを確定する；そして、候補気分タイプのうち最も割合が高い気分タイプをユーザの気分タイプとして確定する。
【００１７】
一実施形態として、以下のように、イメージが分析されて、ユーザの気分タイプを確定する。イメージをユーザの気分モデルと比較して、イメージに合わせるユーザの気分モデルから目標の気分ピクチャを確定する；そして、目標の気分ピクチャに準じて、ユーザの気分タイプが確定される。
【００１８】
一実施形態として、本方法は、イメージをユーザの気分モデルと比較して、イメージに合わせるユーザの気分モデルから目標の気分ピクチャを確定する前に、以下をさらに含んでもよい。ユーザの予め設定された数の表情イメージが取得される；予め設定された機械学習スキームに従って表情イメージについて学習し、ユーザの気分モデルを獲得する。
【００１９】
一実施形態として、本方法は、目標ピクチャをユーザにプッシュした後に以下をさらに含んでもよい。ユーザの選択結果が記録される；そして、ユーザの選択結果に応じてユーザの気分モデルが更新される。
【００２０】
本開示の実施態様によれば、プログラムコードを格納するように構成されるメモリと、メモリとカプリングされる少なくとも１つのプロセッサとを備える移動端末が提供される。プログラムコードは、少なくとも１つのプロセッサによって実行されるとき、少なくとも１つのプロセッサと共に動作可能で、以下のことを実行する。
【００２１】
取得ユニットは、画面が点灯するとき、ユーザの表情を含むイメージを取得するように構成される。分析ユニットは、イメージを分析してユーザの気分タイプを確定するように構成される。確定ユニットは、ユーザの気分タイプに応じてプッシュされるべきピクチャのタイプを確定するように構成される。獲得ユニットは、ピクチャギャラリーをスクリーニングして、プッシュされるべきピクチャのタイプに合わせる目標ピクチャを獲得するように構成される。プッシュユニットは、目標ピクチャをユーザにプッシュするように構成される。
【００２２】
一実施形態として、分析ユニットは、第１の比較ユニットと分析ユニットとを備える。
【００２３】
第１の比較ユニットは、イメージをテンプレートと比較して、目の位置と口の位置とを確定するように構成される。
【００２４】
分析ユニットは、目の形状および口の形状を分析し、ユーザの気分タイプを確定するように構成される。
【００２５】
一実施態様として、分析ユニットは、第３の比較ユニット、第１の確定ユニット、および第２の確定ユニットを備える。
【００２６】
第３の比較ユニットは、イメージをテンプレートと比較して複数の顔の特徴の位置を確定するように構成される。
【００２７】
第１の確定ユニットは、顔の特徴の形状を分析して複数の候補気分タイプを確定するように構成される。
【００２８】
第２の確定ユニットは、候補気分タイプのうち最も割合が高い気分タイプをユーザの気分タイプとして確定するように構成される。
【００２９】
一実施態様として、分析ユニットは、第２の比較ユニットと確定ユニットとを備える。
【００３０】
第２の比較ユニットは、イメージをユーザの気分モデルと比較して、イメージに合わせるユーザの気分モデルから目標の気分ピクチャを確定するように構成される。
【００３１】
確定ユニットは、目標の気分ピクチャに準じてユーザの気分タイプを確定するように構成される。
【００３２】
一実施態様として、移動端末は、学習ユニットをさらに含んでもよい。
【００３３】
取得ユニットはさらに、ユーザの予め設定された数の表情イメージを取得するように構成される。
【００３４】
学習ユニットは、予め設定された機械学習スキームに従って表情イメージについて学習してユーザの気分モデルを獲得するように構成される。
【００３５】
一実施形態として、移動端末は、記録ユニットと更新ユニットとをさらに備えてもよい。
【００３６】
記録ユニットは、ユーザの選択結果を記録するように構成される。
【００３７】
更新ユニットは、ユーザの選択結果に応じてユーザの気分モデルを更新するように構成される。
【００３８】
本開示の実施形態によれば、カメラと汎用プロセッサとを備える別の移動端末が提供される。
【００３９】
カメラは、画面が点灯するときに、ユーザの表情を含むイメージを取得するように構成される。
【００４０】
汎用プロセッサは、以下のように構成される。イメージを分析して、ユーザの気分タイプを確定する；ユーザの気分タイプに応じてプッシュされるべきピクチャのタイプを確定する；ピクチャギャラリーをスクリーニングし、プッシュされるべきピクチャのタイプに合わせる目標ピクチャを獲得する；そして目標ピクチャをユーザにプッシュする。
【００４１】
一実施形態として、イメージを分析してユーザの気分タイプを確定するように構成される汎用プロセッサは、イメージとテンプレートとを比較して目の位置および口の位置を確定し、目の形状および口の形状を分析しユーザの気分タイプを確定するように構成される。
【００４２】
一実施形態として、イメージを分析してユーザの気分タイプを確定するように構成される汎用プロセッサは、イメージをユーザの気分モデルと比較して、ユーザの気分モデルからイメージに合わせる目標の気分ピクチャを確定し、そして、目標の気分ピクチャに準じてユーザの気分タイプを確定するように構成される
一実施形態として、汎用プロセッサはさらに、ユーザの予め設定された数の表情イメージを取得し、予め設定された機械学習スキームに従って表情イメージについて学習してユーザ気分モデルを獲得するように構成される。
【００４３】
一実施形態として、汎用プロセッサは、アプリケーションプロセッサおよび人工知能（ＡＩ）ユニットを含み、ＡＩユニットはアプリケーションプロセッサと集積されている。
【００４４】
ＡＩユニットは、ユーザの予め設定された数の表情イメージを取得し、予め設定された機械学習スキームに従って表情イメージについて学習してユーザの気分モデルを獲得するように構成される。
【００４５】
一実施形態として、ＡＩユニットはさらに、イメージをユーザの気分モデルと比較して、イメージに合わせるユーザの気分モデルから目標の気分ピクチャを確定し、目標の気分ピクチャに準じてユーザの気分タイプを確定するように構成される。
【００４６】
一実施形態として、汎用プロセッサはアプリケーションプロセッサと人工知能（ＡＩ）ユニットとを含み、ＡＩユニットはアプリケーションプロセッサから分離されている。
【００４７】
ＡＩユニットは、ユーザの予め設定された数の表情イメージを取得し、予め設定された機械学習スキームに従って表情イメージについて学習してユーザの気分モデルを獲得するように構成される。
【００４８】
一実施形態として、ＡＩユニットはさらに、イメージをユーザの気分モデルと比較して、イメージに合わせるユーザの気分モデルから目標の気分ピクチャを確定し、目標の気分ピクチャに準じてユーザの気分タイプを確定するように構成される。
【００４９】
第１の実施形態
図１Ａは本開示の第１の実施形態によるピクチャプッシュの方法を示す概略フローチャートである。本実施形態は、ユーザが端末の壁紙を変更したい状況に適用されるので、この方法は、表示画面を有する端末によって実行してもよい。端末は、スマートフォンやタブレットＰＣなどの電子端末であってもよい。図１Ａに示すように、方法はブロック１１０で始まる。
【００５０】
ブロック１１０で、画面が点灯するとき、ユーザの表情を含むイメージが取得される。
【００５１】
本開示の少なくとも１つの実施形態では、端末は、携帯電話、タブレットコンピュータ、携帯情報端末（ＰＤＡ）、およびモバイルインターネットデバイス（ＭＩＤ）などの様々な種類の端末を含んでもよい。本開示はこれらに限定されない。
【００５２】
イメージは、ユーザの目、鼻、頬、唇、眉毛などを示すことに留意されたい。
【００５３】
この方法を端末で実行すると、端末の画面が点灯するときにイメージが取得される。
【００５４】
ブロック１２０において、イメージが分析されて、ユーザの気分タイプを確定する。
【００５５】
気分タイプは、ユーザの気分の分類である。一般的な気分のタイプには、良い気分、普通の気分、または悪い気分が含まれてもよい。
【００５６】
イメージを部分的に分析してユーザの気分タイプを確定することもできるし（例えば、目と口の形状を分析するだけなど）、イメージを完全に分析してユーザの気分タイプを確定することもできる（例えば、イメージをモデルと直接比較してユーザの気分タイプを確定するなど）。
【００５７】
ブロック１３０で、ユーザの気分タイプに応じて目標ピクチャがプッシュされる。
【００５８】
端末は、ユーザの気分タイプに応じて目標ピクチャを確定し、目標ピクチャをユーザにプッシュすることができる。
【００５９】
上記の技術案を介して、ユーザの気分タイプに合わせる目標ピクチャをプッシュすることができ、それにより、ユーザのお気に入りのイメージをよりプッシュし、ユーザがイメージを選択する時間を短縮することができる。
【００６０】
第２の実施形態
図１Ｂは本開示の第２の実施形態によるピクチャプッシュの方法を示す概略フローチャートである。本実施形態は、ユーザが端末の壁紙を変更したい状況に適用されるので、この方法は、表示画面を有する端末によって実行してもよい。端末は、スマートフォンやタブレットＰＣなどの電子端末としてもよい。図１Ｂに示すように、方法はブロック１０１で始まる。
【００６１】
ブロック１０１で、画面が点灯するときに、ユーザの表情を含むイメージが取得される。
【００６２】
本開示の少なくとも１つの実施形態では、端末は、携帯電話、タブレットコンピュータ、携帯情報端末（ＰＤＡ）、およびモバイルインターネットデバイス（ＭＩＤ）などの様々な種類の端末を含んでもよい。開示はこれらに限定されない。
【００６３】
イメージは、ユーザの目、鼻、頬、唇、眉毛などを示すことに留意されたい。
【００６４】
この方法を端末で実行すると、端末の画面が点灯するときにイメージが取得される。
【００６５】
ブロック１０２において、イメージが分析されて、ユーザの気分タイプを確定する。
【００６６】
気分タイプは、ユーザの気分の分類である。一般的な気分のタイプには、良い気分、普通の気分、または悪い気分が含まれる。
【００６７】
イメージを部分的に分析してユーザの気分タイプを確定することもできるし（例えば、目と口の形状を分析するだけなど）、イメージを完全に分析してユーザの気分タイプを確定することもできる（例えばイメージをモデルと直接比較してユーザの気分タイプを確定するなど）。
【００６８】
実施形態として、以下のように、イメージが分析され、ユーザの気分タイプを確定する。イメージは、テンプレートと比較され、目の位置および口の位置を確定する；そして、目の形状と口の形状は分析され、ユーザの気分タイプを確定する。
【００６９】
例えば、テンプレートは、人間の顔の特徴の分割を含み、イメージに含まれる顔の特徴は、口がどこにあるか、目がどこにあるか、眉がどこにあるか、および頬がどこにあるかなど、テンプレートとイメージを比較することによってマークされる。
【００７０】
目の形状は以下のように分析される：目の形状は予め設定された目の形状と比較されてユーザの気分タイプを確定する。当然のことながら、予め設定された目の形状は全てマークされており、例えば、予め設定された曲がった目の形状は良い気分としてマークされている。目の形状が曲がった目の形状に合わせる場合、ユーザが良い気分であることを意味する。
【００７１】
口の形状は以下のように分析される：口の形状は予め設定された口の形状と比較されてユーザの気分タイプを確定する。
【００７２】
上向きの口元を有する口の形状は、一般に、良い気分としてマークされることが理解されるだろう。口の形状が上向きの口元を有する口の形状に合わせる場合、ユーザが良い気分であることを示す。口の形状が唇をしっかりと閉じていることであれば、ユーザが普通の気分であるか、または気分が悪いことを示している。
【００７３】
目の形状の分析結果が口の分析結果と異なる場合、眉毛の形状をさらに分析して分析結果を取得してもよいことが理解されよう。分析結果の割合が統計される。複数の部位を分析した後、半分以上の部位はユーザが気分良いことを示せば、出力されるべき最終結果は、ユーザは気分が良いことである。
【００７４】
一実施形態として、イメージは、以下のように分析され、ユーザの気分タイプを確定する。イメージは、ユーザの気分モデルと比較されて、イメージに合わせるユーザの気分モデルから目標の気分ピクチャを確定する；そして、目標の気分ピクチャに準じて、ユーザの気分タイプが確定される。
【００７５】
ユーザの気分モデルは複数の顔イメージを含み、各顔イメージは気分タイプでマークされていることに留意されたい。イメージと第１のイメージとの間のマッチング度が予め設定された閾値（例えば９５％）よりも大きい場合、第１のイメージに対応する気分タイプはユーザの気分タイプである。第１のイメージは、ユーザの気分モデル内の任意のイメージである。
【００７６】
そして、イメージがユーザの気分モデルと比較されて、イメージに合わせるユーザの気分モデルから目標の気分ピクチャが確定される前に、本方法はさらに以下を含む。ユーザの予め設定された数の表情イメージが取得される；予め設定された機械学習スキームに従って表情イメージについて学習し、ユーザの気分モデルを獲得する。
【００７７】
例えば、端末は、端末のピクチャギャラリーからユーザの表情を含むイメージを取得してもよく、その後、端末は一部のイメージをサーバに送信し、受信したイメージをサーバに気分タイプでマークさせる。端末は、サーバからマーク付きイメージを受信し、マーク付きイメージおよび予め設定された機械学習スキームに従って残りの取得イメージについて学習し、ユーザの気分モデルを獲得する。ユーザ気分モデルはユーザピクチャギャラリであてもよく、ユーザピクチャギャラリ内のすべてのイメージは気分タイプでマークされることが理解されたい。
【００７８】
一般的な予め設定された学習スキームは、いくつかの例を挙げると、分類アルゴリズム、教師付き学習アルゴリズム、ベイズのアルゴリズムなどがある。
【００７９】
ブロック１０３において、プッシュされるべきピクチャのタイプは、ユーザの気分タイプに応じて確定される。
【００８０】
例えば、ユーザの気分タイプが、ユーザが良い気分である場合、プッシュされるべきピクチャは屋外の風景ピクチャであってもよい。ユーザの気分タイプが、ユーザが悪い気分である場合、プッシュされるべきピクチャは、面白いピクチャまたはユーモラスなピクチャであってもよい。
【００８１】
ブロック１０４で、プッシュされるべきピクチャのタイプに合わせる目標ピクチャが、ピクチャギャラリーから獲得される。
【００８２】
端末に保存されているピクチャを選別してもよい。もちろん、端末はクラウドデータセンターにピクチャ取得リクエストを送信してもよい。そのピクチャ取得リクエストは、ピクチャタイプを含む。クラウドデータセンターは、インターネットで検索してピクチャタイプに属するピクチャを取得し、取得したピクチャを端末に返す。クラウドデータセンタによって返されたピクチャを受信した後、端末は、ユーザが閲覧するためにデスクトップにサムネイルをポップアップすることができ、それにより、ユーザにピクチャを選択する利便性を提供する。
【００８３】
ブロック１０５で、目標ピクチャがユーザにプッシュされる。
【００８４】
一実施形態として、目標ピクチャがユーザにプッシュされた後、本方法はさらに以下を含む。ユーザの選択結果が記録される；ユーザの気分モデルは、ユーザの選択結果に準じて更新される。
【００８５】
上記のことからわかるように、本開示の実施形態によって提供される技術案を実施することで、画面が点灯するときにユーザの表情を含むイメージが取得される。イメージが分析され、ユーザの気分タイプを確定する。プッシュされるべきピクチャのタイプは、ユーザの気分タイプに応じて確定される。ピクチャギャラリーがスクリーニングされ、プッシュされるべきピクチャのタイプに合わせる目標ピクチャを獲得する。そして目標ピクチャがユーザにプッシュされる。上記の技術案によって、ユーザの気分タイプに合わせる目標ピクチャをプッシュすることができ、それにより、ユーザのお気に入りのイメージをよりプッシュし、ユーザがイメージを選択する時間を短縮することができる。
【００８６】
第３の実施形態
第３の実施形態は、第２の実施形態に基づいてピクチャプッシュの方法を提供する。この方法では、以下のようにして、ユーザの表情を含むイメージを部分的に分析し、ユーザの気分タイプを確定する。イメージをテンプレートと比較して、目の位置と口の位置を確定する；そして、目の形状と口の形状を分析し、ユーザの気分タイプを確定する。
【００８７】
図２を参照する。図２は、本開示の一実施形態によるピクチャプッシュの方法を示す概略フローチャートである。図２に示すように、ピクチャプッシュの方法はブロック２０１で始まる。
【００８８】
ブロック２０１において、画面が点灯するときに、ユーザの表情を含むイメージが取得される。
【００８９】
本開示の少なくとも１つの実施形態では、端末は、携帯電話、タブレットコンピュータ、携帯情報端末（ＰＤＡ）、およびモバイルインターネットデバイス（ＭＩＤ）などの様々な種類の端末を含んでもよい。本開示はこれらに限定されない。
【００９０】
ブロック２０２において、イメージはテンプレートと比較されて目の位置および口の位置を確定する。
【００９１】
ブロック２０３において、目の形状および口の形状が分析されて、ユーザの気分タイプが確定される。
【００９２】
一般的な気分のタイプには、良い気分、普通の気分、または悪い気分が含まれる。
【００９３】
例えば、テンプレートは、人間の顔の特徴の分割を含み、イメージに含まれる顔の特徴は、例えば、口がどこにあるか、目がどこにあるか、眉がどこにあるか、および頬がどこにあるかなど、テンプレートとイメージを比較することによってマークされる
目の形状は以下のように分析される：目の形状は予め設定された目の形状と比較されてユーザの気分タイプを確定する。当然のことながら、予め設定された目の形状は全てマークされており、例えば、予め設定された曲がった目の形状は良い気分としてマークされている。目の形状が曲がった目の形状に合わせる場合、ユーザが良い気分であることを意味する。
【００９４】
口の形状は以下のように分析される：口の形状は予め設定された口の形状と比較されてユーザの気分タイプを確定する。
【００９５】
上向きの口元を有する口の形状は、一般に、良い気分としてマークされることが理解されるだろう。口の形状が上向きの口元を有する口の形状に合わせる場合、ユーザが良い気分であることを示す。口の形状が唇をしっかりと閉じていることであれば、ユーザが普通の気分であるか、または気分が悪いことを示している。
【００９６】
目の形状の分析結果が口の分析結果と異なる場合、眉毛の形状をさらに分析して分析結果を取得してもよいことが理解されよう。分析結果の割合が統計される。複数の部位を分析した後、半分以上の部位はユーザが気分良いことを示せば、出力されるべき最終結果は、ユーザは気分が良いことである。
【００９７】
ブロック２０４において、プッシュされるべきピクチャのタイプは、ユーザの気分タイプに応じて確定される。
【００９８】
例えば、ユーザの気分タイプはユーザが良い気分である場合、プッシュされるべきピクチャは屋外の風景ピクチャであってもよい。ユーザの気分タイプは、ユーザが悪い気分である場合、プッシュされるべきピクチャは、面白いピクチャまたはユーモラスなピクチャであってもよい。
【００９９】
ブロック２０５において、プッシュされるべきピクチャのタイプに合わせる目標ピクチャがピクチャギャラリから獲得される。
【０１００】
その中、端末に保存されているピクチャを選別してもよい。もちろん、端末はクラウドデータセンターにピクチャ取得リクエストを送信してもよい。そのピクチャ取得リクエストは、ピクチャタイプを含む。クラウドデータセンターは、インターネットで検索してピクチャタイプに属するピクチャを取得し、取得したピクチャを端末に返す。クラウドデータセンタによって返されたピクチャを受信した後、端末は、ユーザが閲覧するためにデスクトップにサムネイルをポップアップすることができ、それにより、ユーザにピクチャを選択する利便性を提供する。
【０１０１】
ブロック２０６で、目標ピクチャがユーザにプッシュされる。
【０１０２】
図２に記載の方法では、イメージをテンプレートと比較して、目の位置および口の位置を確定する。目の形状と口の形状を分析して、ユーザの気分タイプを確定する。顔の特徴を含むイメージを部分的に分析してユーザの気分タイプを確定し、ユーザの気分タイプに合わせるピクチャを推薦することによって、ユーザが現在の気分に合わせるピクチャを取得することは便利である。
【０１０３】
第４の実施形態
第４の実施形態は、第２の実施形態に基づいてピクチャプッシュの方法を提供する。この方法では、以下のようにして、ユーザの表情を含むイメージを完全に分析し、ユーザの気分タイプを確定する。イメージをユーザの気分モデルと比較して、イメージに合わせるユーザの気分モデルから目標の気分ピクチャを確定する；そして、目標の気分ピクチャに準じて、ユーザの気分タイプが確定される。
【０１０４】
図３を参照する。図３は、本開示の実施形態によって開示されるピクチャプッシュの方法を示す概略フローチャートである。図３に示すように、ピクチャプッシュの方法はブロック３０１で始まる。
【０１０５】
ブロック３０１で、画面が点灯するときに、ユーザの表情を含むイメージが取得される。
【０１０６】
ブロック３０２で、ユーザの予め設定された数の表情イメージが取得される。
【０１０７】
ブロック３０３において、予め設定された機械学習スキームに従って表情イメージについて学習し、ユーザの気分モデルを獲得する。
【０１０８】
一般的な予め設定された学習スキームは、いくつかの例を挙げると、分類アルゴリズム、教師付き学習アルゴリズム、ベイズのアルゴリズムなどがある。
【０１０９】
例えば、端末は、端末のピクチャギャラリーからユーザの表情を含むイメージを取得してもよく、その後、端末は一部のイメージをサーバに送信し、受信したイメージをサーバに気分タイプでマークさせる。端末は、サーバからマーク付きイメージを受信し、マーク付きイメージおよび予め設定された機械学習スキームに従って残りの取得イメージについて学習し、ユーザの気分モデルを獲得する。ユーザ気分モデルはユーザピクチャギャラリであてもよく、ユーザピクチャギャラリ内のすべてのイメージは気分タイプでマークされることが理解されたい。
【０１１０】
ブロック３０４において、イメージはユーザの気分モデルと比較されて、イメージに合わせるユーザの気分モデルから目標の気分ピクチャを確定する。
【０１１１】
ユーザの気分モデルは複数の顔イメージを含み、各顔イメージは気分タイプでマークされていることに留意されたい。イメージと第１のイメージとの間のマッチング度が予め設定された閾値（例えば９５％）よりも大きい場合、第１のイメージに対応する気分タイプはユーザの気分タイプである。第１のイメージは、ユーザの気分モデル内の任意のイメージである。
【０１１２】
ブロック３０５で、目標の気分ピクチャに準じてユーザの気分タイプが確定される。
【０１１３】
ブロック３０６において、プッシュされるべきピクチャのタイプは、ユーザの気分タイプに応じて確定される。
【０１１４】
ブロック３０７において、プッシュされるべきピクチャのタイプに合わせる目標ピクチャがピクチャギャラリから獲得される。
【０１１５】
ブロック３０８で、目標ピクチャがユーザにプッシュされる。
【０１１６】
ブロック３０９で、ユーザの選択結果が記録され、ユーザの気分モデルが、ユーザの選択結果に応じて更新される。
【０１１７】
図３に記載の方法では、イメージをユーザの気分モデルと比較して、イメージに合わせるユーザの気分モデルから目標の気分ピクチャを確定する。ユーザの気分タイプは目標の気分ピクチャに準じて確定される。顔の特徴を含むイメージを全体的に分析してユーザの気分タイプを確定し、ユーザの気分タイプに合わせるピクチャを推薦することによって、ユーザが現在の気分に合わせるピクチャを取得することは便利である。
【０１１８】
第５の実施形態
上述した実施形態に基づいて、第５の実施形態により移動端末が提供される。この実施形態によって提供される移動端末は、ブロック１０１からブロック１０５に記載された方法を実行するために使用してもよい。
【０１１９】
図４を参照する。図４は、本開示の一実施形態による移動端末を示す概略ブロック図である。図４に記載の移動端末は、取得ユニット４０１（カメラなど）、分析ユニット４０２（プロセッサなど）、確定ユニット４０３（プロセッサなど）、獲得ユニット４０４（プロセッサなど）、およびプッシュユニット４０５（表示画面など）を備えてもよい。また、分析ユニット４０２、確定ユニット４０３、獲得ユニット４０４を１つのプロセッサに集積してもよい。
【０１２０】
取得ユニット４０１は、画面が点灯するときに、ユーザの表情を含むイメージを取得するように構成される。分析ユニット４０２は、イメージを分析してユーザの気分タイプを確定するように構成される。確定ユニット４０３は、ユーザの気分タイプに応じてプッシュされるべきピクチャのタイプを確定するように構成される。獲得ユニット４０４は、ピクチャギャラリをスクリーニングし、プッシュされるべきピクチャのタイプに合わせる目標ピクチャを獲得するように構成される。プッシュユニット４０５は、目標ピクチャをユーザにプッシュするように構成される。
【０１２１】
第６の実施形態
上述した実施形態に基づいて、他の移動端末が第６の実施形態によって提供される。この実施形態によって提供される移動端末は、ブロック２０１からブロック２０６に記載された方法を実行するために使用してもよい。
【０１２２】
図５を参照する。図５は、本開示の一実施形態による別の移動端末を示す概略ブロック図である。図５に示す移動端末は、取得ユニット５０１（カメラなど）および分析ユニット５０２（プロセッサなど）をさらに備えてもよい。取得ユニット５０１は、画面が点灯するとき、ユーザの表情を含むイメージを取得するように構成される。分析ユニット５０２は、イメージを分析してユーザの気分タイプを確定するように構成される。
【０１２３】
その中、分析ユニット５０２は、第１の比較サブユニット５０２１（マルチコアプロセッサのマイクロプロセッサコアなど）および分析サブユニット５０２２（マルチコアプロセッサのマイクロプロセッサコアなど）を備える。第１の比較サブユニット５０２１は、イメージをテンプレートと比較し、目の位置および口の位置を確定するように構成される。分析サブユニット５０２２は、目の形状および口の形状を分析し、ユーザの気分タイプを確定するように構成される。
【０１２４】
移動端末は、確定ユニット５０３、獲得ユニット５０４（プロセッサなど）、およびプッシュユニット５０５（表示画面など）をさらに備えてもよい。確定ユニット５０３は、ユーザの気分タイプに応じてプッシュされるべきピクチャのタイプを確定するように構成される。獲得ユニット５０４は、ピクチャギャラリをスクリーニングし、プッシュされるべきピクチャのタイプに合わせる目標ピクチャを獲得するように構成される。プッシュユニット５０５は、目標ピクチャをユーザにプッシュするように構成される。
【０１２５】
第７の実施形態
上述した実施形態に基づいて、移動端末は第７の実施形態によって提供される。この実施形態によって提供される移動端末は、ブロック３０１からブロック３０９に記載された方法を実行するために使用してもよい。
【０１２６】
図６を参照する。図６は、本開示の一実施形態による別の移動端末を示す概略ブロック図である。図６に示す移動端末は、取得ユニット６０１（カメラなど）、学習ユニット６０２（インテリジェントマイクロプロセッサなど）、および分析ユニット６０３（マルチコアプロセッサなど）を備える。取得ユニット６０１は、画面が点灯するとき、ユーザの表情を含むイメージを取得するように構成される。取得ユニット６０１はさらに、ユーザの予め設定された数の表情イメージを取得するように構成される。学習ユニット６０２は、予め設定された機械学習スキームに従って表情イメージについて学習してユーザの気分モデルを取得するように構成される。分析ユニット６０３は、イメージを分析してユーザの気分タイプを確定するように構成される。
【０１２７】
その中、分析ユニット６０３は、第２の比較サブユニット６０３１（マルチコアプロセッサのマイクロプロセッサコアなど）および確定サブユニット６０３２（マルチコアプロセッサのマイクロプロセッサコアなど）を備える。第２の比較サブユニット６０３１は、イメージをユーザの気分モデルと比較して、イメージに合わせるユーザの気分モデルから目標の気分ピクチャを確定するように構成される。確定サブユニット６０３２は、目標の気分ピクチャに準じてユーザの気分タイプを確定するように構成される。
【０１２８】
移動端末は、確定ユニット６０４（プロセッサなど）、獲得ユニット６０５（プロセッサなど）、プッシュユニット６０６（表示画面など）、記録ユニット６０７（メモリなど）、および更新ユニット６０８（プロセッサなど）をさらに備えてもよい。確定ユニット６０４は、ユーザの気分タイプに応じてプッシュされるべきピクチャのタイプを確定するように構成される。獲得ユニット６０５は、ピクチャギャラリをスクリーニングし、プッシュされるべきピクチャのタイプに合わせる目標ピクチャを獲得するように構成される。プッシュユニット６０６は、目標ピクチャをユーザにプッシュするように構成される。記録ユニット６０７は、ユーザの選択結果を記録するように構成される。更新ユニット６０８は、ユーザの選択結果に応じてユーザの気分モデルを更新するように構成される。
【０１２９】
第８の実施形態
上述した実施形態に基づいて、移動端末は第８の実施形態によって提供される。この実施形態によって提供される移動端末は、少なくとも１つのプロセッサとメモリとを備えてもよく、プロセッサは、メモリに格納されたプログラムコードを呼び出して、ピクチャプッシュの方法を実行してもよい。
【０１３０】
図７を参照する。図７は、本開示の実施形態による移動端末を示す概略構造図である。図７に示すように、移動端末は、少なくとも１つのプロセッサ７１０（ＣＰＵなど）、メモリ７２０、少なくとも１つの通信バス７３０、入力装置７４０（カメラ、タッチパッドなど）および出力装置７５０（表示画面、スピーカなど）を備えてもよい。その中、通信バス７３０は、これらのコンポネント間の通信接続を実現するように構成される。メモリ７２０は、高速ＲＡＭメモリまたは少なくとも１つのディスクメモリなどの不揮発性メモリとしてもよい。一実施形態として、メモリ７２０は、プロセッサ７１０から遠く離れた少なくとも１つの記憶装置としてもよい。プロセッサ７１０は、図４〜図６に記載の移動端末を組み合わせてもよい。グループプログラムコードはメモリ７２０に格納される。プロセッサ７１０は、メモリ７２０に格納されるプログラムコードを呼び出して、以下の動作を実行する。
【０１３１】
画面が点灯するとき、ユーザの表情を含むイメージが取得される。イメージが分析され、ユーザの気分タイプを確定する。プッシュされるべきピクチャのタイプは、ユーザの気分タイプに応じて確定される。ピクチャギャラリーがスクリーニングされ、プッシュされるべきピクチャのタイプに合わせる目標のピクチャを獲得する。そして目標ピクチャがユーザにプッシュされる。
【０１３２】
一実施形態として、イメージは以下のように分析され、ユーザの気分タイプを確定する。イメージはテンプレートと比較され、目の位置および口の位置を確定する。そして、目の形状と口の形状が分析され、ユーザの気分タイプを確定する。
【０１３３】
一実施形態として、イメージは以下のように分析され、ユーザの気分タイプを確定する。イメージは、ユーザの気分モデルと比較されて、イメージに合わせるユーザの気分モデルから目標の気分ピクチャを確定する。そして、目標の気分ピクチャに準じて、ユーザの気分タイプが確定される。
【０１３４】
一実施形態として、イメージがユーザの気分モデルと比較されて、イメージに合わせるユーザの気分モデルから目標の気分ピクチャが確定される前に、動作はさらに以下を含む：ユーザの予め設定された数の表情イメージが取得される；予め設定された機械学習スキームに従って表情イメージについて学習され、ユーザの気分モデルを獲得する。
【０１３５】
一実施形態として、目標ピクチャがユーザにプッシュされた後、動作はさらに以下を含む：ユーザの選択結果が記録される；ユーザの気分モデルは、ユーザの選択結果に応じて更新される。
【０１３６】
本開示の実施形態では、画面が点灯するときに、ユーザの表情を含むイメージが取得される。イメージが分析され、ユーザの気分タイプを確定する。プッシュされるべきピクチャのタイプは、ユーザの気分タイプに応じて確定される。ピクチャギャラリーがスクリーニングされ、プッシュされるべきピクチャのタイプに合わせる目標のピクチャを獲得する。そして目標ピクチャがユーザにプッシュされる。上記の技術案によって、ユーザの気分タイプに合わせる目標ピクチャをプッシュすることができ、それにより、ユーザのお気に入りのイメージをよりプッシュし、ユーザがイメージを選択する時間を短縮することができる。
【０１３７】
第９の実施形態
上述した実施形態に基づいて、移動端末は第９の実施形態によって提供される。この実施形態によって提供される移動端末は、汎用プロセッサとメモリとを含んでもよく、汎用プロセッサは、メモリに格納されたプログラムコードを呼び出して、ピクチャプッシュの方法を実行することができる。
【０１３８】
図８を参照する。図８は、本開示の実施形態による別の移動端末を示す概略構造図である。図８に示すように、移動端末は、ベースバンド処理用大規模集積回路８１０（ベースバンド処理用ＬＳＩ）、汎用プロセッサ８２０、音声処理用集積回路８３０（音声処理用ＩＣ）、タッチコントローラ８４０、ジャイロセンサ８５０、通信バス８６０、メモリ８７０、およびカメラ８８０を備えてもよい。その中、通信バス８６０は、これらのコンポネント間の通信接続を実現するように構成される。メモリ８７０は、高速ＲＡＭメモリまたは少なくとも１つのディスクメモリなどの不揮発性メモリとしてもよい。カメラ８８０は、画面が点灯するときに、ユーザの表情を含むイメージを取得するように構成される。汎用プロセッサ８２０は、図３から図６で説明した移動端末を組み合わせてもよい。グループプログラムコードはメモリ８７０に格納される。汎用プロセッサ８２０はメモリ８７０に格納されたプログラムコードを呼び出して、以下の動作を実行する。
【０１３９】
カメラ８８０によって取得されたイメージは、ユーザの気分タイプを確定するために分析される。プッシュされるべきピクチャのタイプは、ユーザの気分タイプに応じて確定される。ピクチャギャラリーがスクリーニングされ、プッシュされるべきピクチャのタイプに合わせる目標のピクチャを獲得する。そして目標ピクチャがユーザにプッシュされる。
【０１４０】
一実施形態として、イメージが分析されユーザの気分タイプを確定するのは、以下の手順を含む：イメージはテンプレートと比較され、目の位置および口の位置を確定する；そして、目の形状と口の形状を分析して、ユーザの気分タイプを確定する。
【０１４１】
一実施形態として、イメージが分析され、ユーザの気分タイプを確定するのは、以下の手順を含む：イメージはユーザの気分モデルと比較され、イメージに合わせるユーザの気分モデルから目標の気分ピクチャを確定する；そして、目標の気分ピクチャに準じて、ユーザの気分タイプが確定される。
【０１４２】
一実施形態として、イメージがユーザの気分モデルと比較されて、イメージに合わせるユーザの気分モデルから目標の気分ピクチャが確定される前に、動作はさらに以下の手順を含む：ユーザの予め設定された数の表情イメージが取得される；予め設定された機械学習スキームに従って表情イメージについて学習され、ユーザの気分モデルを獲得する。
【０１４３】
一実施形態として、汎用プロセッサは、アプリケーションプロセッサと人工知能（ＡＩ）ユニットとを備え、ＡＩユニットはアプリケーションプロセッサと集積され、ＡＩユニットはユーザの予め設定された数の表情イメージを取得するように構成される。そして、予め設定された機械学習スキームに従って表情イメージについて学習して、ユーザの気分モデルを獲得する。
【０１４４】
さらに、ＡＩユニットはさらに、イメージをユーザの気分モデルと比較して、イメージに合わせるユーザの気分モデルから目標の気分ピクチャを確定し、目標の気分ピクチャに準じてユーザの気分タイプを確定するように構成される。
【０１４５】
一実施形態として、汎用プロセッサはアプリケーションプロセッサと人工知能（ＡＩ）ユニットとを備え、ＡＩユニットはアプリケーションプロセッサから分離され、ＡＩユニットはユーザの予め設定された数の表情イメージを取得するように構成される。そして、予め設定された機械学習スキームに従って表情イメージについて学習して、ユーザの気分モデルを獲得する。
【０１４６】
なお、ＡＩユニットはさらに、イメージをユーザの気分モデルと比較して、イメージに合わせるユーザの気分モデルから目標の気分ピクチャを確定し、目標の気分ピクチャに準じてユーザの気分タイプを確定するように構成される。
【０１４７】
ＡＩユニットは、人工知能の応用を実現するための専用の処理ユニットである。ＡＩユニットは、ビッグデータ分析、ディープラーニング、および他の人工知能処理を実行することができ、それは移動端末の処理性能を大幅に改善し、ユーザのより個人化されたニーズを満たすことができる。ディープラーニングの観点では、ＡＩユニットは、ニューラルネットワークモデルを訓練するために大量のサンプルを取得し、ニューラルネットワークモデルを使用することによって分類を実行することができる。例えば、ＡＩユニットはテンソル処理ユニット（ＴＰＵ）としてもよく、その計算性能は毎秒１８０兆回の浮動小数点演算に達することができる。
【０１４８】
ＡＩユニットの特定の形態はハードウェアおよび／またはソフトウェアであってもよい。ＡＩユニットがハードウェア形態を含む場合、プロセッサはＡＩユニットと集積されでもよいか、またはＡＩユニットから分離されてもよく、ここで制限しない。
【０１４９】
ＡＩユニットがアプリケーションプロセッサと集積されている場合、アプリケーションプロセッサがシングルコアプロセッサであれば、ＡＩユニットはアプリケーションプロセッサ内のインテリジェントマイクロ処理回路としてもよい。アプリケーションプロセッサがマルチコアプロセッサであれば、ＡＩユニットは、マルチコアプロセッサ内のインテリジェントマイクロプロセッサコア、またはマイクロプロセッサコア内のインテリジェントマイクロ処理回路としてもよい。
【０１５０】
ＡＩユニットがアプリケーションプロセッサから分離されている場合、ＡＩユニットは、アプリケーションプロセッサ以外のアプリケーションプロセッサプラットフォームアーキテクチャの任意のコプロセッサ（ベースバンドプロセッサなど）、またはアプリケーションプロセッサ以外のアプリケーションプロセッサプラットフォームアーキテクチャの新しく設置されたインテリジェントマイクロプロセッサ、またはアプリケーションプロセッサプラットフォームから独立して新しく設置されたインテリジェントプロセッシングプラットフォームとしてもよい。インテリジェントプロセッシングプラットフォームは、少なくとも１つの専用インテリジェントプロセッサを含み、インテリジェントプロセッシングプラットフォームは、アプリケーションプロセッサプラットフォームとの通信接続を有し、任意選択で、インテリジェントプロセッシングプラットフォームは、アプリケーションプロセッサプラットフォームはメモリ、周辺機器などとの直接通信接続を有してもよい。
【０１５１】
一実施形態として、目標ピクチャがユーザにプッシュされた後、方法はさらに以下の手順を含む：ユーザの選択結果が記録される；ユーザの気分モデルは、ユーザの選択結果に応じて更新される。
【０１５２】
当業者であれば、上述した実施形態の様々な方法の全部または一部を関連ハードウェアに指示するためのプログラムによって達成することができ、そのプログラムをコンピュータ可読メモリに格納してもよいことを理解するであろう。コンピュータ可読メモリは、読み出し専用メモリ（ＲＯＭ）、ランダムアクセスメモリ（ＲＡＭ）、プログラム可能読み出し専用メモリ（ＰＲＯＭ）、消去可能プログラマブル読み出し専用メモリ（ＥＰＲＯＭ）、ワンタイムプログラマブル読み出し専用メモリ、メモリ（ＯＴＰＲＯＭ）、電気的消去可能プログラマブル読み出し専用メモリ（ＥＥＰＲＯＭ）、コンパクトディスク読み出し専用メモリ（ＣＤ−ＲＯＭ）、または他の光ディスクメモリ、ディスクメモリ、磁気テープメモリ、または任意の他のコンピュータ可読データを持つまたは格納するように設定されているメディアを含んでもよい。
【０１５３】
本開示の実施例によって開示されるピクチャプッシュの方法および移動端末は、上で詳細に説明されており、本開示の原理および実施形態を例示するために特定の例が本明細書で使用される。上述の実施例の説明は、本開示の方法および中心的な考案を理解するだけに使われる。一方、当業者であれば、本開示の考案に従って、具体的な実施形態および適用範囲が変更されることになり、要約すると、本明細書の内容は本開示に対する限定として解釈されるべきではない。
【図１Ａ】
2020507159.tif 000003
【図１Ｂ】
2020507159.tif 000004
【図２】
2020507159.tif 000005
【図３】
2020507159.tif 000006
【図４】
2020507159.tif 000007
【図５】
2020507159.tif 000008
【図６】
2020507159.tif 000009
【図７】
2020507159.tif 000010
【図８】
2020507159.tif 000011
【国際調査報告】
2020507159.tif 000012
2020507159.tif 000013